(57)【要約】【課題】端子を簡単に着脱できるとともに、端子の着脱状態を外部から容易に確認することができる、簡単な構成のコネクタの組付構造を提供する。【解決手段】収納室２０Ｃの前方端部には、収納室２０Ｃの上方から該収納室２０Ｃに対して斜め方向に挿入されるメス端子４０の先端が突当って該メス端子４０の収納位置を規制する規制部２２が、メス端子４０の先端の上方に形成され、且つ、収納室２０Ｃに収納されたメス端子４０の該収納室２０Ｃの後方への移動を規制する係止部２３が、メス端子４０の先端の下方に形成され、収納室２０Ｃに収納されたメス端子４０は、その先端が規制部２２および係止部２３によって挟持されることによって、収納室２０Ｃに仮係止される。【選択図】図１１
2011014353.tif 000002
【特許請求の範囲】
【請求項１】
電線が接続されたメス端子が収納される端子収納ブロックと、前記端子収納ブロックが内挿されて組み付けられるカバーブロックと、を備え、前記カバーブロックは、前記電線が該カバーブロックから引き出される引出方向とは直交する一つの側面が開口し、該開口を通して前記引出方向とは直交する方向から前記端子収納ブロックが内挿される内挿室を有するコネクタであって、
前記端子収納ブロックには、隣り合う前記メス端子を仕切るための、該メス端子の長手方向と平行に延びる隔壁によって、上方が開口し、その開口から一つの前記メス端子を収納可能な収納室が形成され、
前記収納室の前方端部には、前記収納室の上方から該収納室に対して斜め方向に挿入される前記メス端子の先端が突当って該メス端子の収納位置を規制する規制部が、前記メス端子の先端の上方に形成され、且つ、前記収納室に収納された前記メス端子の該収納室の後方への移動を規制する係止部が、前記メス端子の先端の下方に形成され、
前記収納室に収納された前記メス端子は、その先端が前記規制部および前記係止部によって挟持されることによって、前記収納室に仮係止される、
ことを特徴とするコネクタ。
【請求項２】
前記カバーブロックの前記内挿室には、該内挿室に前記端子収納ブロックが内挿された際に前記メス端子の先端に当接する内壁面が形成されている、
ことを特徴とする請求項１に記載のコネクタ。
【請求項３】
前記端子収納ブロックの前記隔壁の上端には、隣り合う前記隔壁に向けて突出する封止片が形成されている、
ことを特徴とする請求項１または２に記載のコネクタ。
【請求項４】
前記端子収納ブロックの前記隔壁の上端には、該上端から上方に突出する係止爪が形成され、
前記カバーブロックの前記内挿室には、該内挿室に内挿された前記端子収納ブロックの前記係止爪に対向する箇所に係止溝が形成されている、
ことを特徴とする請求項１から３のいずれか一項に記載のコネクタ。
【請求項５】
前記カバーブロックの前記内挿室を画成する内面のうちの、前記端子収納ブロックの前記収納室に対向する面には、前記収納室に向けて突出する凸部が形成され、
前記端子収納ブロックが前記内挿室に内挿された際、前記収納室に収納された前記メス端子は、該メス端子に形成された凹部が前記凸部に係合する、
ことを特徴とする請求項１から４のいずれか一項に記載のコネクタ。
【請求項６】
前記端子収納ブロックには、前記収納室が上下方向に二段、且つその二つの前記収納室の形状がその上下方向に対称となるように形成されている、
ことを特徴とする請求項１から５のいずれか一項に記載のコネクタ。
【発明の詳細な説明】
【技術分野】
【０００１】
本発明は、電線（ワイヤハーネス）が接続される端子が装着された端子収納ブロックとこの端子収納ブロックが内挿されるカバーブロックとで構成されたコネクタに関する。
【背景技術】
【０００２】
従来、例えば自動車用の各種電子機器の回路基板と電線（ワイヤハーネス）とを電気的に接続する目的で、コネクタが広く用いられている。そして、近年においては、かかる自動車用の回路基板と電線とを電気的に接続する目的で用いられる電気コネクタ組立体において、小型化が要求されている。
【０００３】
このようなコネクタとして、例えば図１７に示すように、メス型コンタクト（メス端子）１０１をオス型ハウジング１０２に仮固定するためのランスブロック１０３と、ランスブロック１０３で仮固定されたメス型コンタクト１０１をオス型ハウジング１０２に本固定するためのリテーナ１０４と、をオス型コネクタ１０５に備えた構成の電気コネクタ組立体が知られている。
【０００４】
この電気コネクタ組立体にあっては、オス型コンタクト（オス端子）１０６とメス型コンタクト１０１の電気的な導通を確実に行うことが必須となっているが、上述のような、ランスブロック１０３およびリテーナ１０４によってメス型コンタクト１０１をオス型ハウジング１０２に固定する電気コネクタ組立体においては、以下に示すような問題が存在する。
【０００５】
（Ｉ）メス型コンタクト１０１を取り付けたオス型コネクタ１０５をメス型コネクタ１０７に挿入して嵌合させるときに、ランスブロック１０３やリテーナ１０４がオス型ハウジング１０２に完全に押し込まれていない場合がある。しかし、これが確実に押し込まれていないことが判明するのは、ランスブロック１０３やリテーナ１０４がメス型コネクタ１０７のメス型ハウジング１０８に当たったときである。
これが判明した場合には、オス型コネクタ１０５をメス型コネクタ１０７から引き抜く。そして、再びオス型コネクタ１０５をメス型コネクタ１０７に挿入する。しかしこれでは、作業効率が低下してしまう。
（ＩＩ）さらに、オス型コネクタ１０５は、オス型ハウジング１０２と、ランスブロック１０３と、リテーナ１０４の３点の部品から構成されているため、その組立工数も増加してしまう。
【０００６】
そこで、このような技術的課題に基づいてなされたもので、メス型コンタクトとオス型コンタクトの嵌合を確実に行って信頼性を向上させるとともに、作業効率の向上を図ることのできる電気コネクタが提案されている（例えば、特許文献１参照）。
【０００７】
即ち、この電気コネクタは、図１８及び図１９に示すように、オス型コネクタ２００を、オス型ハウジング２１０と、メス型コンタクト２２０と、オス型ハウジング２１０にメス型コンタクト２２０を固定するリテーナ２３０とから構成されている。リテーナ２３０は、オス型コネクタ２００のメス型コネクタ３００への挿抜方向に対して直交する方向に挿入される。リテーナ２３０は、第一係止爪、第二係止爪によりオス型ハウジング２１０に対して仮係止状態と本係止状態の２段階に係止する。これにより、オス型コンタクト３１０とメス型コンタクト２２０とを確実に電気的に接続する。また、リテーナ２３０が仮係止状態にあるときには、リテーナ２３０がオス型ハウジング２１０から側方に突出し、オス型コンタクト３１０とメス型コンタクト２２０との誤接触を防止する。これにより、メス型コンタクト２２０とオス型コンタクト３１０との嵌合を確実に行って、信頼性を向上するとともに、作業効率の向上を図ることができる。
【先行技術文献】
【特許文献】
【０００８】
【特許文献１】特開２００９−２１１５９号公報
【発明の概要】
【発明が解決しようとする課題】
【０００９】
ところが、このようなコネクタにあっては、オス型コネクタ２００を構成するオス型ハウジング２１０内部に装着するメス側コンタクト２２０の保持構造が複雑である。従って、オス型ハウジング２１０内部へのメス側コンタクト２２０の装着及び取出し作業が非常に厄介である。しかも、複雑な構造による保持動作を行わせてあるために、オス型ハウジング２１０内部へメス側コンタクト２２０の正確な装着がなされているかを、外部から視認などによって確認するのは非常に困難である。
【００１０】
本発明は、上述した事情に鑑みてなされたものであり、その目的は、端子を簡単に着脱できるとともに、端子の着脱状態を外部から容易に確認することができる、簡単な構成のコネクタを提供することにある。
【課題を解決するための手段】
【００１１】
前述した目的を達成するために、本発明に係るコネクタは、下記（１）〜（６）を特徴としている。
（１）  電線が接続されたメス端子が収納される端子収納ブロックと、前記端子収納ブロックが内挿されて組み付けられるカバーブロックと、を備え、前記カバーブロックは、前記電線が該カバーブロックから引き出される引出方向とは直交する一つの側面が開口し、該開口を通して前記引出方向とは直交する方向から前記端子収納ブロックが内挿される内挿室を有するコネクタであって、
前記端子収納ブロックには、隣り合う前記メス端子を仕切るための、該メス端子の長手方向と平行に延びる隔壁によって、上方が開口し、その開口から一つの前記メス端子を収納可能な収納室が形成され、
前記収納室の前方端部には、前記収納室の上方から該収納室に対して斜め方向に挿入される前記メス端子の先端が突当って該メス端子の収納位置を規制する規制部が、前記メス端子の先端の上方に形成され、且つ、前記収納室に収納された前記メス端子の該収納室の後方への移動を規制する係止部が、前記メス端子の先端の下方に形成され、
前記収納室に収納された前記メス端子は、その先端が前記規制部および前記係止部によって挟持されることによって、前記収納室に仮係止される、
こと。
（２）  上記（１）の構成のコネクタにおいて、
前記カバーブロックの前記内挿室には、該内挿室に前記端子収納ブロックが内挿された際に前記メス端子の先端に当接する内壁面が形成されている、
こと。
（３）  上記（１）または（２）の構成のコネクタにおいて、
前記端子収納ブロックの前記隔壁の上端には、隣り合う前記隔壁に向けて突出する封止片が形成されている、
こと。
（４）  上記（１）〜（３）のいずれか一つの構成のコネクタにおいて、
前記端子収納ブロックの前記隔壁の上端には、該上端から上方に突出する係止爪が形成され、
前記カバーブロックの前記内挿室には、該内挿室に内挿された前記端子収納ブロックの前記係止爪に対向する箇所に係止溝が形成されている、
こと。
（５）  上記（１）〜（４）のいずれか一つの構成のコネクタにおいて、
前記カバーブロックの前記内挿室を画成する内面のうちの、前記端子収納ブロックの前記収納室に対向する面には、前記収納室に向けて突出する凸部が形成され、
前記端子収納ブロックが前記内挿室に内挿された際、前記収納室に収納された前記メス端子は、該メス端子に形成された凹部が前記凸部に係合する、
こと。
（６）  上記（１）〜（５）のいずれか一つの構成のコネクタにおいて、
前記端子収納ブロックには、前記収納室が上下方向に二段、且つその二つの前記収納室の形状がその上下方向に対称となるように形成されている、
こと。
【００１２】
上記（１）の構成のコネクタによれば、大きく開口した一面側の出入口から端子収納ブロック内へ端子を簡単に着脱できるとともに、この大きく開口された一面側を介して、端子の着脱状態を外部から容易に確認することができる。
上記（２）の構成のコネクタによれば、内壁面が端子収納ブロックの収納室に収納されたメス端子の先端に当接することにより、収納室からのメス端子の抜脱を防ぐことができる。
上記（３）の構成のコネクタによれば、仮係止状態の時のメス端子が端子収納空間内部から跳ね上がって飛び出すことを防止することができる。
上記（４）の構成のコネクタによれば、係止爪と係止溝の協働により、端子収納ブロックをカバーブロックの内挿室内に固定することができる。
上記（５）の構成のコネクタによれば、メス端子が収納室に収容された状態であるときに、メス端子に設けた凹部が係合されてメス端子が跳ね上がるのを抑制している。
上記（６）の構成のコネクタによれば、上方だけでなく、下方からであっても、メス端子を端子収納ブロックに仮係止することができる。
【発明の効果】
【００１３】
本発明のコネクタによれば、簡単な構成のコネクタの組付構造を用いて、大きく開口した一面側の出入口から端子収納ブロック内へ端子を簡単に着脱できるとともに、この大きく開口された一面側を介して、端子の着脱状態を外部から容易に確認することができる。
【００１４】
以上、本発明について簡潔に説明した。更に、以下に説明される発明を実施するための形態を添付の図面を参照して通読することにより、本発明の詳細は更に明確化されるであろう。
【図面の簡単な説明】
【００１５】
【図１】本発明の実施形態に係るコネクタを示す斜視図である。
【図２】本発明の実施形態に係るコネクタの一部を構成する端子収納ブロックを示す斜視図である。
【図３】本発明の実施形態に係るコネクタの一部を構成する端子収納ブロックの背面図である。
【図４】図２におけるＩＶ−ＩＶ線矢視断面図である。
【図５】本発明の実施形態に係るコネクタの一部を構成する端子収納ブロックの一部を示す拡大斜視図である。
【図６】本発明の実施形態に係るコネクタの一部を構成するカバーブロックを示す斜視図である。
【図７】（Ａ）は図６に示すカバーブロックの正面図、（Ｂ）はその背面図である。
【図８】図７（Ａ）におけるＶＩＩＩ−ＶＩＩＩ線矢視断面図である。
【図９】本発明の実施形態に係るコネクタに用いたメス端子を示す側面図である。
【図１０】本発明の実施形態に係るコネクタの背面図である。
【図１１】図１０におけるＸＩ−ＸＩ線矢視断面図である。
【図１２】本発明の実施形態に係るコネクタにおいて端子収納ブロックを引出した状態を示す斜視図である。
【図１３】本発明の実施形態に係るコネクタにおいて端子収納ブロックを引出した状態を示す背面図である。
【図１４】本発明の実施形態に係るコネクタにおいて、端子収納ブロックにメス端子を斜め上方から突き刺すときの作業を示す側断面図である。
【図１５】図１４における、端子収納ブロックにメス端子の後端を下げる作業を示す側断面図である。
【図１６】本発明の実施形態に係るコネクタにおいて、メス端子が端子収納ブロック内で仮係止状態にあることを示す断面図である。
【図１７】従来のコネクタを示す側断面図である。
【図１８】従来の他のコネクタにおける組み立て途中の状態を示す斜視図である。
【図１９】（Ａ）は図１８に示すコネクタの断面図、（Ｂ）はその要部拡大断面図である。
【発明を実施するための形態】
【００１６】
以下、本発明に係る好適な実施形態を添付図面に基づいて詳細に説明する。
図１は本発明の実施形態に係るコネクタの組付構造が適用されたコネクタ１０を示すものである。このコネクタ１０は、メス型の端子を収容したメス型のコネクタであって、電線（ワイヤハーネス）Ｃの一端が接続されたメス型の端子（以下、「メス端子」と略す）４０（図７参照）が装着された端子収納ブロック２０と、端子収納ブロック２０が内挿されて組み付けられているカバーブロック３０と、を備えている。
【００１７】
メス端子４０は、図９に示すように、本体４１の前部にばね性を有する電気接触部４２が上下２方向に一対突出し、本体４１の後部に電線Ｃが接続されている。このメス端子４０は、詳細は後述するが、カバーブロック３０に端子収納ブロック２０を内挿する前の状態で、端子収納ブロック２０の収納室２０Ｃを構成する各端子収納空間２１の内部に斜め上方から挿入させることで、収納室２０Ｃに装着させる。
【００１８】
また、このメス端子４０の後部には、起立突起４４が形成されており、この起立突起４４が後述する封止片２４に係止することで、後述する仮係止状態の時のメス端子４０が端子収納空間２１内部から跳ね上がって飛び出さないようになっている。
【００１９】
また、本体４１は、中間部の上面側が凹状に窪んだ形状の部分（以下、凹部４３）を有しており、後述するカバーブロック３０に端子収納ブロック２０を内挿すると、この凹部４３がカバーブロック３０内部の内挿室３０Ｃに設けた凸部３４に係合され、前後方向に移動しないように拘束される。
【００２０】
端子収納ブロック２０は、図３に示すよう、該メス端子４０の長手方向と平行に延びる隔壁２０Ａおよび段壁２０Ｂによって上下左右に隣り合うメス端子４０が仕切られる端子収納空間２１が設けられている。端子収納空間２１の上段、下段とも、電線Ｃが接続されたメス端子４０を複数本（９本）それぞれ収納するための収納室２０Ｃが左右方向（図３の左右方向）に９個形成されている。端子収納空間２１の上段、下段の各収納室２０Ｃは、その形状が段壁２０Ｂを通過する平面（上下方向に直交する平面）に対して対称となっているため、端子収納空間２１の上段の各収納室２０Ｃは、図３の上方が開口し、その開口から一つのメス端子４０を収納することができる一方、端子収納空間２１の下段の各収納室２０Ｃは、下方が開口し、その開口から一つのメス端子４０を収納することができる。端子収納ブロック２０は、電線Ｃが引出されるＹ方向に対して直交するＸ方向から、各収納室２０Ｃにメス端子４０をそれぞれ収納した後で、Ｘ方向の一つの側面が開口したカバーブロック３０の内挿室３０Ｃに内挿される。
【００２１】
収納室２０Ｃは、図２乃至図４に示すように、端子収納空間２１を隔壁２０Ａ及び段壁２０Ｂによって仕切ることによって形成された各々を指す。この収納室２０Ｃの前方端部（図２の＋Ｙ方向の端部）には、収納室２０Ｃにメス端子４０を挿脱させるときにそのメス端子４０の先端を突き当てる出入口Ｅを構成するために、メス端子４０の先端の上方に位置するように規制部２２が、メス端子４０の先端の下方に位置するように係止部２３が、それぞれ形成されている。
【００２２】
規制部２２は、図２に示すように、各隔壁２０Ａの先端部分同士を連結するような状態で形成された連結部を構成する部分に設けられている。規制部２２は、メス端子４０を収納室２０Ｃに装着させたときに、本体４１の前部において突出するばね性を有する電気接触部４２の上側（上段の端子収納空間２１の場合）の先端部分が係止するもので構成されている。また、係止部２３は、段壁２０Ｂの先端部側（図４の左方端部）に形成された窪みであり、特に、メス端子４０を装着させたときに、本体４１の前部において突出するばね性を有する電気接触部４２の下側（上段の端子収納空間２１の場合）の先端部分から基部側に向けて分岐した分岐部４２Ａ（図９参照）が係止する溝２３Ａ（図１５参照）で構成されている。この規制部２２および係止部２３による作用については後述する。
【００２３】
また、図２および４に示すように、各隔壁２０Ａの上端および下端には、隣り合う隔壁２０Ａに向けて横（Ｘ）方向に突出っする封止片２４が形成されている。この封止片２４は、収納室２０Ｃに収納されたメス端子４０の起立突起４４が接触することによって、該メス端子４０が各端子収納空間２１から外方に抜け出すのを防止している。  
【００２４】
また、隔壁２０Ａには、端子収納ブロック２０をカバーブロック３０の内挿室３０Ｃに内挿させるときのその内挿をガイドする機能を果たす切欠き２６が、上下両側の外縁部の左右方向の中間に形成されている。また、隔壁２０Ａのうち手前側（図２では右側）及びこれとは反対の最奥部側の隔壁２０Ａの上下両側の外縁部の基部に、図５に示すような隔壁２０Ａの上端から上方に突出する係止爪２５が形成されている。この係止爪２５は、カバーブロック３０の内挿室３０Ｃの最奥部まで端子収納ブロック２０が内挿されたときに、カバーブロック３０の内挿室３０Ｃの内面のうちの該係止爪２５に対向する箇所に設けられた係止溝３３（図７（Ｂ）及び図８参照）に嵌入して固定される。係止爪２５と係止溝３３の協働により、端子収納ブロック２０がカバーブロック３０の内挿室３０Ｃ内に固定される。
【００２５】
一方、カバーブロック３０は、図６乃至図８に示すように、電線Ｃが配設される正面（Ｙ）方向に対して直交する側面（Ｘ）のうち、いずれか一方側の側面に開口された内挿口３０Ａから、側面（Ｘ）方向に挿入させて端子収納ブロック２０を内挿させるようになっている。また、このカバーブロック３０では、勿論、電線Ｃを取付けメス端子４０が収容されるので、側面に隣接する背面にも電線Ｃが引出されるための開口３０Ｂを設けている。
【００２６】
さらに、このカバーブロック３０では、背面とは反対面である正面（以下、「先端面」とよぶ）３０Ｄには、図示外のオス型のコネクタに設けてある図示外のオス端子の先端部分が嵌入してメス端子４０の先端部に設けた電気接触部４２に嵌合するために、端子収納ブロック２０の収納室２０Ｃと同数の端子孔３５が開口している。また、この先端面３０Ｄの内壁面３６は、端子収納ブロック２０が内挿される際の規制部２２を、後述するガイド部３２とともにガイドする。さらに、内壁面３６は、端子収納ブロック２０の収納室２０Ｃに収納されたメス端子４０の先端に当接することにより、収納室２０Ｃからのメス端子４０の抜脱を防いでいる（内壁面３６が収納室２０Ｃからのメス端子４０の抜脱を防いでいる点については、後述する。）。
【００２７】
内挿室３０Ｃには、端子収納ブロック２０を内挿させたときに、端子収納ブロック２０の各端子収納空間２１に対応してこの端子収納空間２１を上下左右から取り囲む内挿部３１が形成される（図１０参照）。また、この内挿室３０Ｃには、先端側にガイド部３２と、基端側に係止溝３３とが形成されているとともに、中間部の天井及び床に凸部３４が形成されている。
【００２８】
ガイド部３２は、図６に示すように、端子収納ブロック２０が内挿される際の先端の規制部２２をガイドするため、内挿口３０Ａから最奥部に至る奥行き（Ｙ）方向全体に亘った天井及び床の部分に、規制部２２の形状に倣って形成されたガイド溝で構成されている。
【００２９】
係止溝３３は、端子収納ブロック２０の係止爪２５が係止するものであり、内挿室３０Ｃの内挿方向の最奥部及び内挿口３０Ａに形成されている。なお、本実施形態の係止溝３３は、図７（Ｂ）に示すように、隣接した凸状の爪３３Ａを設けることで溝として構成されているものであって、その爪３３Ａの先の天井や床とは面一（つらいち）に形成されている。  
【００３０】
凸部３４は、図４に示す端子収納ブロック２０の隔壁２０Ａの切欠き２６が係合して内挿動作をガイドする手段として機能するとともに、図１１に示すように、メス端子４０が収納室２０Ｃに収容された状態であるときに、メス端子４０に設けた凹部４３が係合されてメス端子４０が跳ね上がるのを抑制する手段としても機能している。
【００３１】
また、このカバーブロック３０には、図示外のオス型のコネクタと嵌合させてロック状態とするために、外面（図６から図８では上面）部分にばね性を有する係止突起３７Ａ及びストッパ部３７Ｂからなる被嵌合部３７を設けている。
【００３２】
次に、本実施形態のコネクタ１０にメス端子を装着するときの作業手順について、図１、及び図１４乃至図１６を参照しながら説明する。
【００３３】
（１）まず、メス端子４０を、図１４に示すように、端子収納ブロック２０の収納室２０Ｃの上方から、該収納室２０Ｃの延長方向（図１４の左右方向）に対して斜め方向となる角度で、規制部２２および係止部２３の間（すなわち、出入口Ｅ）に突き刺す。このとき、メス端子４０を、メス端子４０の分岐部４２Ａが係止部２３の溝２３Ａを越えて位置するように突き刺す。なお、このようなメス端子４０の突き刺し状態を作業者に判別させるためには、例えば図９に示すように、メス端子４０の電気接触部４２の上側に、且つ分岐部４２Ａよりも右側に窪みを形成しておき、メス端子４０を収納室２０Ｃに突き刺す際にその窪みに規制部２２が嵌り込むことにより、作業者に上記の突き刺し状態の是非を知らせるようにする。
【００３４】
（２）続いて、図１５に示すように、（１）の状態では端子収納ブロック２０の収納室２０Ｃの上方からはみ出していたメス端子４０の後端を、規制部２２および係止部２３の間に先端を留めた状態で収納室２０Ｃに向けて下げる。このとき、メス端子４０の電気接触部４２の上側が規制部２２に当接する一方、メス端子４０の分岐部４２Ａは係止部２３に当接していない。
【００３５】
（３）そして、図１６に示すように、メス端子４０を−Ｙ方向（図１６の右方向）に、メス端子４０の分岐部４２Ａが係止部２３に接触するまでスライドさせる（言い換えれば、メス端子４０のスライドが係止部２３によって規制されるまでそのスライドを継続する。）。このとき、メス端子４０の電気接触部４２の上側が規制部２２に当接する状態は維持される一方、メス端子４０の分岐部４２Ａが係止部２３の溝２３Ａに嵌りこむ。規制部２２および係止部２３の溝２３Ａによって挟持された状態では、バネ性を有する電気接触部４２は規制部２２および係止部２３を押し広げる方向に弾性力を働かせる。この結果、この弾性力がメス端子４０を収納室２０Ｃに保持するための係止力として作用することになる。本発明では、規制部２２、係止部２３および電気接触部４２の協働によって、メス端子４０を収納室２０Ｃに保持させることを仮係止と称し、メス端子４０が収納室２０Ｃに保持されている状態のことを仮係止状態と称する。
【００３６】
なお、上記の作業手順（１）〜（３）では、端子収納空間２１の上段に位置する収納室２０Ｃにメス端子４０を収納する作業について説明した。端子収納空間２１の下段に位置する収納室２０Ｃにメス端子４０を収納する作業についても、上下の関係を逆にして作業を行う、あるいは、端子収納ブロック２０を回転させて端子収納空間２１の下段を上側にして上記の作業手順（１）〜（３）を行う、ことによって対応することができる。
【００３７】
（４）最後に、図１に示すように、メス端子４０を各収納室２０Ｃに収納した端子収納ブロック２０をＸ方向から、Ｘ方向の一つの側面が開口したカバーブロック３０の内挿室３０Ｃに内挿する。このとき、図１１に示すように、カバーブロック３０の内壁面３６は、収納室２０Ｃに収納されたメス端子４０の先端に当接することにより、メス端子４０のスライドを防いでいる。これにより、メス端子４０の不要なスライド（例えば振動に起因するスライドなど）によって仮係止状態が解除されることがない。また、凸部３４は、図１１に示すように、メス端子４０が収納室２０Ｃに収容された状態であるときに、メス端子４０に設けた凹部４３が係合されてメス端子４０が跳ね上がるのを抑制している。これによって、メス端子４０に収納室２０Ｃから抜き取る方向に外力（例えば、電線が引っ張られることによって図１１の右方向に作用する張力。また、例えば電線が上方に引きあがれることによって図１１の上下方向に作用する張力）が作用した場合に、仮係止状態が解除されることがない。
【００３８】
続いて、本実施形態のコネクタ１０からメス端子を取り出すときの作業手順について、図１、及び図１０乃至図１４を参照しながら説明する。
【００３９】
（１）まず、図１０に示すように、端子収納ブロック２０の各面のうち大きく外部に露出している背面側を、内挿方向とは逆の方向（図１０では左方）へ押し出すようにして、係止溝３３に嵌入していた端子収納ブロック２０の係止爪２５が、隣接した凸状の爪３３Ａを乗り越えて嵌合状態を脱出するようにする。これにより、端子収納ブロック２０がカバーブロック３０との嵌合状態から解除された状態に戻る。
【００４０】
（２）このようにして、図１２、図１３のように、外部へ引き出されてきた端子収納ブロック２０の収納室２０Ｃを構成する端子収納空間２１から、次に、仮係止状態にあるメス端子４０を取り出す。この場合、端子収納空間２１の前方には、カバーブロック３０から脱出してきたことにより、メス端子４０を前方に移動させることができる空間が形成されるので、図１５に示すように、メス端子４０を前進させる。
【００４１】
なお、このストロークは、少なくとも、図１５において符号Ｓで示す長さ又は、この長さＳを上回る適宜長さでの前進移動である。このとき、メス端子４０の電気接触部４２のうち外側（図１５では上部側）の先端部分が内側（図１５では下方）へ押下されることで、前進動作が可能となる。また、この前進動作によって、電気接触部４２のうちの内側（図１５では下側）にある分岐部４２Ａが溝２３Ａとの係合状態から解除される。
【００４２】
（３）その後、図１４に示すように、メス端子４０の後部側を斜め上方に引き上げるとともに、その状態で後方へ移動させると、端子収納空間２１からメス端子４０を取り出すことができる。
【００４３】
従って、本実施形態によれば、仮係止状態では、メス端子４０が端子収納ブロック２０の収納室２０Ｃを構成する端子収納空間２１にどのような状態で収納されているかが、大きく開放された一面（上面）を介して外側の上部から直接、簡単に、かつ、確実に視認できる。従って、メス端子４０の装着ミス、例えば半嵌合状態などの収容状態の異常などが確実に見つけられる。
【００４４】
また、本実施形態によれば、メス端子４０を簡単に仮係止状態にセットできる。その後、このメス端子４０を収納した端子収納ブロック２０を、カバーブロック３０の側方の内挿口３０Ａ（図６参照）から押し込んで嵌合する。これにより、メス端子４０を簡単に装着できるとともに、その一連の装着動作とは反対の作業を行うことで、簡単にメス端子４０の抜脱作業を行うことができる。
【００４５】
このように、本実施形態によれば、従来のような、コネクタ背面側の小さく開口した端子の挿入孔を狙って端子を挿入させる方法ではなく、上述したように、大きく開口した一面側の出入口に向けて斜め（上方の）後方から端子を挿入させることができるので、挿入作業が非常に容易に行える。しかも、このような簡単な着脱作業が、本実施形態によれば、端子収納ブロック２０とカバーブロック３０との２点からなる、簡単な構成のコネクタの組付構造のもので、実現できるわけである。
【００４６】
なお、本発明は上述した実施形態に何ら限定されるものではなく、その要旨を逸脱しない範囲において種々の形態で実施し得るものである。
【符号の説明】
【００４７】
１０    （メス型）コネクタ
２０    端子収納ブロック
２０Ａ    隔壁
２０Ｂ    段壁
２０Ｃ    収納室
２１    端子収納空間
２２    規制部
２３    係止部
２３Ａ    溝
２４    封止片
２５    係止爪
２６    切欠き
３０    カバーブロック
３０Ａ    内挿口
３０Ｂ    開口
３０Ｃ    内挿室
３０Ｄ    先端面
３１    内挿部
３２    ガイド部
３３    係止溝
３３Ａ    爪
３４    凸部
３５    端子孔
３６    内壁面
３７    被嵌合部
４０    メス端子
４１    本体
４２    電気接触部
４２Ａ    分岐部
４３    凹部
４４    起立突起
Ｃ    電線（ワイヤハーネス）
Ｅ    出入口
【図１】
2011014353.tif 000003
【図２】
2011014353.tif 000004
【図３】
2011014353.tif 000005
【図４】
2011014353.tif 000006
【図５】
2011014353.tif 000007
【図６】
2011014353.tif 000008
【図７】
2011014353.tif 000009
【図８】
2011014353.tif 000010
【図９】
2011014353.tif 000011
【図１０】
2011014353.tif 000012
【図１１】
2011014353.tif 000013
【図１２】
2011014353.tif 000014
【図１３】
2011014353.tif 000015
【図１４】
2011014353.tif 000016
【図１５】
2011014353.tif 000017
【図１６】
2011014353.tif 000018
【図１７】
2011014353.tif 000019
【図１８】
2011014353.tif 000020
【図１９】
2011014353.tif 000021